(57)【要約】【課題】開放された大屋根に大屋根突揚げ棒を確実にロックすることができるとともに、そのロックおよび解除を簡単に行うことができるグランド型ピアノの大屋根支持装置を提供する。【解決手段】基端部が側板７に回動自在に取り付けられ、開放された大屋根３を先端部１１ａで支持するための大屋根突揚げ棒１１と、大屋根３の下面に固定され、大屋根３が大屋根突揚げ棒１１に支持されるときに大屋根突揚げ棒１１の先端部１１ａが係合する突揚げ棒受け具２１と、大屋根突揚げ棒１１の先端部１１ａを突揚げ棒受け具２１にロックするロック手段１０と、を備えており、ロック手段１０は、大屋根突揚げ棒１１に出没自在に設けられ、大屋根突揚げ棒１１の先端部１１ａが突揚げ棒受け具２１に係合したときに突出することにより、大屋根突揚げ棒１１の先端部１１ａを突揚げ棒受け具２１に抜け止め状態にロックするロック爪１２を有している。【選択図】図１
2012208278.tif 000002
【特許請求の範囲】
【請求項１】
ピアノ本体の側板の左部および右部の一方に回動自在に取り付けられた大屋根を、開放状態で支持するためのグランド型ピアノの大屋根支持装置であって、
基端部が前記側板の左部および右部の他方に回動自在に取り付けられ、開放された前記大屋根を先端部で支持するための大屋根突揚げ棒と、
前記大屋根の下面の所定位置に固定され、当該大屋根が前記大屋根突揚げ棒に支持されるときに当該大屋根突揚げ棒の先端部が係合する突揚げ棒受け具と、
前記大屋根突揚げ棒の先端部を前記突揚げ棒受け具にロックするロック手段と、
を備えており、
前記ロック手段は、前記大屋根突揚げ棒および前記突揚げ棒受け具の一方に出没自在に設けられ、前記大屋根突揚げ棒の先端部が前記突揚げ棒受け具に係合したときに突出することにより、前記大屋根突揚げ棒の先端部を前記突揚げ棒受け具に抜け止め状態にロックするロック爪を有していることを特徴とするグランド型ピアノの大屋根支持装置。
【請求項２】
前記ロック手段は、
手動で操作されるロック解除操作部と、
このロック解除操作部が操作されることにより、前記ロック爪を没入させることによって当該ロック爪によるロックを解除するロック解除機構と、
をさらに有していることを特徴とする請求項１に記載のグランド型ピアノの大屋根支持装置。
【請求項３】
前記ロック爪は、前記大屋根突揚げ棒の先端部に、その側面に対して出没自在に設けられており、
前記突揚げ棒受け具は、前記大屋根突揚げ棒の先端部を挿入するための第１挿入凹部を有し、
この第１挿入凹部は、
前記大屋根側に設けられ、前記ロック爪が突出した状態の前記大屋根突揚げ棒の先端部を収容可能な大屋根側凹部と、
この大屋根側凹部の前記大屋根と反対側に連なるように設けられ、前記ロック爪が没入した状態の前記大屋根突揚げ棒の先端部の挿脱を許容するとともに、前記ロック爪が突出した状態で前記大屋根側凹部に収容された前記大屋根突揚げ棒の先端部の取り外しを阻止するように構成された開口部と、
を有しており、
前記ロック爪は、前記大屋根突揚げ棒の先端部が、前記第１挿入凹部に挿入されるときに、前記開口部の縁部に当接し、その反力により、没入側に押圧されるように構成されていることを特徴とする請求項２に記載のグランド型ピアノの大屋根支持装置。
【請求項４】
前記突揚げ棒受け具は、前記大屋根突揚げ棒の先端部を挿入するための第２挿入凹部を有し、
この第２挿入凹部は、
挿入口と、
この挿入口から前記大屋根の下面に沿って延びるとともに、前記挿入口と反対側の端部である突揚げ棒保持部において前記突揚げ棒の先端部を保持するための係合溝と、
を有しており、
前記ロック爪は、前記突揚げ棒受け具に、前記係合溝の側面に対して出没自在に設けられ、前記大屋根突揚げ棒の先端部が、前記挿入口から前記係合溝の前記突揚げ棒保持部へ移動するときに、前記先端部で押圧されることによって没入することにより、前記先端部の通過を許容するとともに、突出した状態にあるときに、前記突揚げ棒保持部に保持されている前記先端部の前記挿入口への移動を阻止するように構成されていることを特徴とする請求項２に記載のグランド型ピアノの大屋根支持装置。
【発明の詳細な説明】
【技術分野】
【０００１】
本発明は、グランドピアノやグランド型の電子ピアノなどに適用され、ピアノ本体の上面に回動自在に取り付けられた大屋根を開放状態で支持するためのグランド型ピアノの大屋根支持装置に関する。
【背景技術】
【０００２】
図７は、従来の一般的な大屋根支持装置を備えたグランドピアノを示している。このグランドピアノ１は、前部に鍵盤２ａを有するとともにフレームや響板、弦などを内蔵するピアノ本体２と、このピアノ本体２の最上部に設けられた大屋根３とを備えている。大屋根３は、一般にラワン合板などからなり、大屋根後４および大屋根前５で構成されている。大屋根後４は、低音側（左側）の奥行きが高音側（右側）のそれよりも長い所定形状に形成され、左端部において、前後２つの屋根角蝶番６、６を介して、ピアノ本体２の側面を構成する側板７の左部に回動自在に取り付けられている。また、大屋根後４の下面の所定位置には、大屋根３が開放された際に、後述する大屋根突揚げ棒１１の先端部が当接した状態でこれを受ける突揚げ棒受け皿４ａが固定されている。一方、大屋根前５は、平面形状が横長矩形状に形成されており、大屋根後４の前端部に、大屋根蝶番８を介して回動自在に取り付けられ、大屋根後４に対して折り畳み可能になっている。
【０００３】
このように構成された大屋根３は、グランドピアノ１の非演奏時や保管時には、ピアノ本体２の内部機構を保護するために、図７（ａ）に示すように、水平な状態で閉鎖される。一方、演奏時には、演奏音を前方の演奏者側に直接、伝えるようにしたり、演奏音を大屋根後４の下面で反射させたりすることなどによって、より豊かな音量や響きを得るために、同図（ｂ）に示すように、大屋根３が、大屋根突揚げ棒１１で支持されることによって、右上がりに傾斜した状態で開放される。この大屋根突揚げ棒１１は、所定の長さを有しており、基端部において、ピアノ本体２の側板７の右部に回動自在に取り付けられ、先端部が大屋根後４の突揚げ棒受け皿４ａに当接した状態で、大屋根３を支持するようになっている。
【０００４】
上記の突揚げ棒受け皿４ａは、比較的浅く形成されているため、例えば地震が発生したり、ピアノの側を通った人が大屋根突揚げ棒１１に誤ってつかえたりすると、大屋根突揚げ棒１１が突揚げ棒受け皿４ａからはずれることがあり、その場合には、開放されている大屋根３が閉鎖側に倒れてしまうおそれがある。このような事態を回避するため、開放された大屋根と、これを支持する大屋根突揚げ棒とを固定する大屋根支持装置として、特許文献１に開示されたものが知られている。
【０００５】
この大屋根支持装置では、大孔部および小孔部が互いに連なるだるま穴状の凹部（以下それぞれ、「大孔凹部」および「小孔凹部」という）を有する受け部材が、上記の突揚げ棒受け皿４ａの代わりに大屋根の下面に固定される一方、大屋根突揚げ棒の先端部に、大孔部の径よりも小さくかつ小孔部の径よりも大きい径を有する挿入部（以下「先端挿入部」という）が設けられている。この大屋根突揚げ棒で大屋根を支持する場合、まず、大屋根突揚げ棒の先端挿入部を、受け部材の大孔凹部に挿入する。そして、大屋根突揚げ棒を、その先端挿入部が小孔凹部側に移動するように押圧することにより、大屋根突揚げ棒の先端挿入部を小孔凹部に係合させる。この状態では、大屋根突揚げ棒は、その長さ方向において、受け部材に対して抜け止め状態にロックされる。これにより、上記の大屋根支持装置では、開放されている大屋根が閉鎖側に倒れるのを回避している。
【先行技術文献】
【特許文献】
【０００６】
【特許文献１】特開２００９−２１６９２８号公報
【発明の概要】
【発明が解決しようとする課題】
【０００７】
上記の大屋根支持装置では、大屋根突揚げ棒の先端挿入部を、受け部材の大孔凹部に挿入しただけでも、大屋根を開放した状態に保持することが可能である。このため、例えば、大屋根突揚げ棒の先端挿入部を受け部材の小孔凹部に移動させることによるロックをし忘れた場合には、大屋根突揚げ棒の先端挿入部が、受け部材の大孔凹部に挿入されただけの状態になる。この状態では、前述したように、地震が発生した場合などに、大屋根突揚げ棒の先端挿入部が受け部材の大孔凹部から抜けることがあり、その場合には、開放された大屋根が閉鎖側に倒れるおそれがある。
【０００８】
また、この大屋根支持装置では、大屋根を開放した状態に保持する場合、大屋根突揚げ棒の先端挿入部を、受け部材の小孔凹部によってロックするために、大屋根突揚げ棒の先端挿入部を、受け部材の大孔凹部に挿入した後、大屋根突揚げ棒を受け部材の小孔凹部側に押圧しなければならない。逆に、開放されている大屋根を閉鎖する場合、大屋根突揚げ棒のロックを解除するために、その先端挿入部を、受け部材の大孔凹部側に一旦、移動させてから、受け部材の大孔凹部から引き抜かなければならない。このように、上記の大屋根支持装置では、大屋根の開放および閉鎖操作を行う際の大屋根突揚げ棒のロックおよびその解除の操作が煩雑である。
【０００９】
本発明は、以上のような課題を解決するためになされたものであり、開放された大屋根に大屋根突揚げ棒を確実にロックすることができるとともに、そのロックおよび解除を簡単に行うことができるグランド型ピアノの大屋根支持装置を提供することを目的とする。
【課題を解決するための手段】
【００１０】
上記の目的を達成するために、請求項１に係る発明は、ピアノ本体の側板の左部および右部の一方に回動自在に取り付けられた大屋根を、開放状態で支持するためのグランド型ピアノの大屋根支持装置であって、基端部が側板の左部および右部の他方に回動自在に取り付けられ、開放された大屋根を先端部で支持するための大屋根突揚げ棒と、大屋根の下面の所定位置に固定され、大屋根が大屋根突揚げ棒に支持されるときに大屋根突揚げ棒の先端部が係合する突揚げ棒受け具と、大屋根突揚げ棒の先端部を突揚げ棒受け具にロックするロック手段と、を備えており、ロック手段は、大屋根突揚げ棒および突揚げ棒受け具の一方に出没自在に設けられ、大屋根突揚げ棒の先端部が突揚げ棒受け具に係合したときに突出することにより、大屋根突揚げ棒の先端部を突揚げ棒受け具に抜け止め状態にロックするロック爪を有していることを特徴とする。
【００１１】
この構成によれば、大屋根がピアノ本体の側板の左部および右部の一方に回動自在に取り付けられる一方、大屋根突揚げ棒の基端部が側板の左部および右部の他方に回動自在に取り付けられている。また、大屋根を開放状態で支持する場合、大屋根の下面の所定位置に固定された突揚げ棒受け具に大屋根突揚げ棒の先端部を係合させ、その先端部を、ロック手段により、突揚げ棒受け具にロックする。このロック手段は、大屋根突揚げ棒および突揚げ棒受け具の一方に出没自在に設けられたロック爪を有しており、大屋根突揚げ棒の先端部が突揚げ棒受け具に係合したときにロック爪が突出し、それにより、大屋根突揚げ棒の先端部を突揚げ棒受け具に抜け止め状態にロックする。このように、大屋根突揚げ棒の先端部を突揚げ棒受け具に係合させるだけで、突出したロック爪により、開放された大屋根に大屋根突揚げ棒を確実にかつ簡単にロックすることができる。
【００１２】
請求項２に係る発明は、請求項１に記載のグランド型ピアノの大屋根支持装置において、ロック手段は、手動で操作されるロック解除操作部と、このロック解除操作部が操作されることにより、ロック爪を没入させることによってロック爪によるロックを解除するロック解除機構と、をさらに有していることを特徴とする。
【００１３】
この構成によれば、ロック解除操作部を手動で操作することにより、ロック解除機構によってロック爪が没入され、それにより、ロック爪によるロックを簡単に解除することができる。したがって、大屋根突揚げ棒で開放状態に支持された大屋根を閉鎖する場合、ロック解除操作部を操作するだけで、ロック爪によるロックが解除され、その状態のまま、大屋根突揚げ棒の先端部を大屋根の突揚げ棒受け具から簡単に取り外すことができる。
【００１４】
請求項３に係る発明は、請求項２に記載のグランド型ピアノの大屋根支持装置において、ロック爪は、大屋根突揚げ棒の先端部に、その側面に対して出没自在に設けられており、突揚げ棒受け具は、大屋根突揚げ棒の先端部を挿入するための第１挿入凹部を有し、この第１挿入凹部は、大屋根側に設けられ、ロック爪が突出した状態の大屋根突揚げ棒の先端部を収容可能な大屋根側凹部と、この大屋根側凹部の大屋根と反対側に連なるように設けられ、ロック爪が没入した状態の大屋根突揚げ棒の先端部の挿脱を許容するとともに、ロック爪が突出した状態で大屋根側凹部に収容された大屋根突揚げ棒の先端部の取り外しを阻止するように構成された開口部と、を有しており、ロック爪は、大屋根突揚げ棒の先端部が、第１挿入凹部に挿入されるときに、開口部の縁部に当接し、その反力により、没入側に押圧されるように構成されていることを特徴とする。
【００１５】
この構成によれば、ロック爪が大屋根突揚げ棒の先端部の側面に出没自在に設けられ、突揚げ棒受け具の第１挿入凹部には、上記の大屋根側凹部および開口部が設けられている。大屋根突揚げ棒の先端部を突揚げ棒受け具の第１挿入凹部に挿入する場合、ロック爪が第１挿入凹部の開口部の縁部に当接し、その反力により、没入側に押圧される。そして、大屋根突揚げ棒の先端部は、開口部を通過し、ロック爪が突出した状態で、大屋根側凹部に収容される。これにより、大屋根突揚げ棒の先端部は、突出したロック爪によって、第１挿入凹部からの取り外しが阻止され、突揚げ棒受け具にロックされる。このように、大屋根突揚げ棒の先端部を第１挿入凹部に挿入するだけで、突揚げ棒受け具に簡単にロックすることができる。
【００１６】
請求項４に係る発明は、請求項２に記載のグランド型ピアノの大屋根支持装置において、突揚げ棒受け具は、大屋根突揚げ棒の先端部を挿入するための第２挿入凹部を有し、この第２挿入凹部は、挿入口と、この挿入口から大屋根の下面に沿って延びるとともに、挿入口と反対側の端部である突揚げ棒保持部において突揚げ棒の先端部を保持するための係合溝と、を有しており、ロック爪は、突揚げ棒受け具に、係合溝の側面に対して出没自在に設けられ、大屋根突揚げ棒の先端部が、挿入口から係合溝の突揚げ棒保持部へ移動するときに、先端部で押圧されることによって没入することにより、先端部の通過を許容するとともに、突出した状態にあるときに、突揚げ棒保持部に保持されている先端部の挿入口への移動を阻止するように構成されていることを特徴とする。
【００１７】
この構成によれば、突揚げ棒受け具の第２挿入凹部が、上記の挿入口および係合溝を有しており、その係合溝の側面にロック爪が出没自在に設けられている。大屋根突揚げ棒を突揚げ棒受け具の第２挿入凹部に挿入する場合、挿入口を介して係合溝に挿入し、その係合溝の挿入口と反対側の端部である突揚げ棒保持部に移動させる。この場合、ロック爪は、大屋根突揚げ棒の先端部で押圧されることによって没入し、その先端部の突揚げ棒保持部への通過を許容する。一方、大屋根突揚げ棒の先端部が、係合溝の突揚げ棒保持部に保持されている場合、その先端部は、突出した状態にあるロック爪により、挿入口への移動が阻止される。つまり、大屋根突揚げ棒の先端部は、係合溝の突揚げ棒保持部に保持された状態で、突揚げ棒受け具にロックされる。以上のように、大屋根突揚げ棒の先端部を第２挿入凹部に挿入するだけで、突揚げ棒受け具に簡単にロックすることができる。
【図面の簡単な説明】
【００１８】
【図１】本発明の第１実施形態による大屋根支持装置を適用したグランドピアノを示す斜視図であり、（ａ）は全体図、（ｂ）は大屋根突揚げ棒の先端部と突揚げ棒受け具を示す拡大図である。
【図２】第１実施形態のロック装置を説明するための図であり、（ａ）はロック状態、（ｂ）はロック解除状態を示す。
【図３】大屋根突揚げ棒の先端部を突揚げ棒受け具に挿入する手順を示す説明図である。
【図４】本発明の第２実施形態による大屋根支持装置を適用したグランドピアノを示す斜視図であり、（ａ）は全体図、（ｂ）は大屋根突揚げ棒の先端部と突揚げ棒受け具を示す拡大図である。
【図５】第２実施形態のロック装置を説明するための図であり、（ａ）はロック状態、（ｂ）はロック解除状態を示す。
【図６】大屋根突揚げ棒の先端部を突揚げ棒受け具に挿入する手順を示す説明図である。
【図７】従来の一般的な大屋根支持装置を備えたグランドピアノを示す斜視図であり、（ａ）は大屋根を閉鎖した状態、（ｂ）は大屋根を開放した状態を示す。
【発明を実施するための形態】
【００１９】
以下、図面を参照しながら、本発明の好ましい実施形態を詳細に説明する。図１は、本発明の第１実施形態による大屋根支持装置を適用したグランドピアノを示している。なお、以下の説明では、前述した図７に示す従来の一般的なグランドピアノと同じ構成部分については、同一の符号を付し、その詳細な説明を省略するものとする。
【００２０】
図１に示すように、このグランドピアノ１は、一般的なグランドピアノと同様、ピアノ本体２の前部に鍵盤２ａを備えるとともに、その後方上部に、ピアノ本体２の上面を開閉する大屋根３を備えている。この大屋根３は、大屋根後４および大屋根前５で構成されており、大屋根後４が、ピアノ本体２の側板７の左部に、前後２つの屋根角蝶番６、６を介して、回動自在に取り付けられている。また、大屋根後４の下面の所定位置には、大屋根３を開放した状態で支持する際に、大屋根突揚げ棒１１の先端部１１ａが係合する突揚げ棒受け具２１が固定されている。一方、大屋根突揚げ棒１１は、所定の長さを有しており、基端部がピアノ本体２の側板７の右部に回動自在に取り付けられている。また、大屋根突揚げ棒１１の先端部１１ａには、この先端部１１ａを突揚げ棒受け具２１に抜け止め状態にロックするための２つのロック爪１２、１２が設けられている。
【００２１】
図２は、大屋根突揚げ棒１１の先端部１１ａを突揚げ棒受け具２１にロックするロック装置１０（ロック手段）を模式的に示している。同図に示すように、大屋根突揚げ棒１１の先端部１１ａには、前述したように、２つのロック爪１２、１２が設けられている。両ロック爪１２、１２は、大屋根突揚げ棒１１の先端部１１ａに左右対称に配置され、その先端部１１ａの側面に対し出没自在に構成されている。
【００２２】
具体的には、各ロック爪１２は、平面形状が台形状に形成され、前端部の支点１３を中心として、大屋根突揚げ棒１１の先端部１１ａの側面から外方に突出する突出位置（図２（ａ）に示す位置）と、先端部１１ａに没入する没入位置（図２（ｂ）に示す位置）との間で、回動自在に構成されている。また、ロック爪１２は、大屋根突揚げ棒１１の基端部側に向かって、先端部１１ａの側面から離れるように傾斜する傾斜面１２ａと、この傾斜面１２ａに連なり、先端部１１ａの側面とほぼ直交する係止面１２ｂとを有している。
【００２３】
また、大屋根突揚げ棒１１には、両ロック爪１２、１２によるロックを解除する際に手動で操作される２つのロック解除ボタン１４、１４（ロック解除操作部）と、これらと両ロック爪１２、１２を連結するリンク機構１５（ロック解除機構）が設けられている。両ロック解除ボタン１４、１４は、図１（ａ）に示すように、大屋根突揚げ棒１１の長さ方向のほぼ中央に左右対称に配置されている。リンク機構１５は、互いに交差し、支点１５ａを介して回動自在に支持された２つのリンクバー１５ｂ、１５ｂを有しており、各リンクバー１５ｂが、互いに対角線上に位置するロック爪１２とロック解除ボタン１４とを連結している。また、リンク機構１５の両リンクバー１５ｂ、１５ｂ間には、支点１５ａよりもロック解除ボタン１４側の所定位置に、圧縮ばねから成るばね１６が取り付けられている。このばね１６の付勢力により、両リンクバー１５、１５が互いに開く方向に付勢されており、それにより、両ロック解除ボタン１４、１４が外方に突出するように付勢されるとともに、両ロック爪１２、１２が突出位置側に回動するように付勢されている。
【００２４】
一方、突揚げ棒受け具２１は、自身を大屋根３（大屋根後４）の下面に取り付けるための取付け部２２と、この取付け部２２から突出し、大屋根突揚げ棒１１の先端部１１ａが挿入される断面円形の挿入凹部２３（第１挿入凹部）とを有している。挿入凹部２３は、大屋根３側に設けられ、所定の深さおよび径を有する大屋根側凹部２４と、これに連なるとともに、大屋根側凹部２４の径よりも小さい径を有する開口部２５とで構成されている。大屋根側凹部２４は、両ロック爪１２、１２が突出位置に位置した状態で、大屋根突揚げ棒１１の先端部１１ａを、両ロック爪１２、１２を含めて収容可能なサイズに形成されている。一方、開口部２５は、両ロック爪１２、１２が没入位置に位置した状態で、大屋根突揚げ棒１１の先端部１１ａの挿脱を許容するサイズに形成されている。加えて、開口部２５は、両ロック爪１２、１２が突出位置に位置した状態で、大屋根側凹部２４に収容された大屋根突揚げ棒１１の先端部１１ａの取り外しを阻止するサイズに形成されている。
【００２５】
図３は、大屋根３を大屋根突揚げ棒１１で開放状態に支持する場合において、大屋根突揚げ棒１１の先端部１１ａを突揚げ棒受け具２１の挿入凹部２３に挿入する手順を示している。同図（ａ）に示すように、大屋根３を支持する前の大屋根突揚げ棒１１の先端部１１ａでは、両ロック爪１２、１２がいずれも突出位置に位置している。この状態から、大屋根突揚げ棒１１の先端部１１ａを、突揚げ棒受け具２１の挿入凹部２３に挿入する。この場合、同図（ｂ）に示すように、両ロック爪１２、１２は、それぞれの傾斜面１２ａが挿入凹部２３の開口部２５の縁部に当接し、その反力によって、ばね１６の付勢力に抗して、没入位置側に回動する。そして、大屋根突揚げ棒１１の先端部１１ａを挿入凹部２３の奥側にさらに挿入することにより、同図（ｃ）に示すように、両ロック爪１２、１２が、大屋根側凹部２４に到達し、ばね１６の付勢力によって、突出位置側に回動する。
【００２６】
このように、突出位置に位置する両ロック爪１２、１２が、挿入凹部２３の大屋根側凹部２４に収容された状態により、大屋根突揚げ棒１１の先端部１１ａが突揚げ棒受け具２１に抜け止め状態にロックされる。つまり、この状態において、大屋根３および／または大屋根突揚げ棒１１に対し、大屋根突揚げ棒１１を突揚げ棒受け具２１から引き抜く方向に力が作用しても、両ロック爪１２、１２の係止面１２ｂ、１２ｂが、挿入凹部２３の大屋根側凹部２４と開口部２５との境界部分の壁面に当接するので、大屋根突揚げ棒１１の先端部１１ａが挿入凹部２３から抜けるのを、確実に阻止することができる。
【００２７】
また、ロックされた大屋根突揚げ棒１１の先端部１１ａを突揚げ棒受け具２１から取り外す場合には、まず、図２（ｂ）に示すように、両ロック解除ボタン１４を、白抜き矢印で示すように押すことにより、両ロック爪１２、１２を没入位置側に回動させる。そして、大屋根突揚げ棒１１の先端部１１ａを、突揚げ棒受け具２１の挿入凹部２３から引き抜く。このように、大屋根３を支持する大屋根突揚げ棒１１の先端部１１ａを、突揚げ棒受け具２１から簡単に取り外すことができる。
【００２８】
以上説明したように、本実施形態によれば、大屋根突揚げ棒１１の先端部１１ａを、突揚げ棒受け具２１の挿入凹部２３に挿入するだけで、両ロック爪１２、１２により、突揚げ棒受け具２１に確実にかつ簡単にロックすることができる。これにより、地震が発生した場合などでも、大屋根突揚げ棒１１が突揚げ棒受け具２１から抜けるのを確実に防止でき、それにより、開放されている大屋根３が閉鎖側に倒れるという事態を確実に回避することができる。また、開放されている大屋根３を閉鎖する場合、ロック解除ボタン１４、１４を押すだけで、両ロック爪１２、１２によるロックが解除されるので、大屋根突揚げ棒１１の先端部１１ａを、大屋根３の突揚げ棒受け具２１から簡単に取り外すことができる。以上のように、大屋根３の開放および閉鎖操作を行う際の大屋根突揚げ棒１１のロックおよびその解除の操作を簡単に行うことができる。
【００２９】
図４は、本発明の第２実施形態による大屋根支持装置を適用したグランドピアノを示している。本実施形態では、大屋根突揚げ棒１１は、第１実施形態と異なり、一般的な大屋根突揚げ棒と同様のものであり、一方、大屋根３（大屋根後４）の下面に固定された突揚げ棒受け具３１に、大屋根突揚げ棒１１の先端部１１ａをロックするための２つのロック爪３２、３２が設けられている。
【００３０】
図５は、大屋根突揚げ棒１１の先端部１１ａを突揚げ棒受け具３１にロックするロック装置３０（ロック手段）を模式的に示している。同図に示すように、突揚げ棒受け具３１は、平面形状がＵ字状に形成され、大屋根突揚げ棒１１の先端部１１ａが挿入される挿入凹部３３（第２挿入凹部）を有している。この挿入凹部３３は、大屋根３の右方に開放する挿入口３４と、この挿入口３４から大屋根３の下面に沿って所定長さ延び、平面形状がＵ字状の係合溝３５とを有している。挿入口３４および係合溝３５は、大屋根突揚げ棒１１の先端部の直径よりも若干大きい幅を有しており、係合溝３５の挿入口３４と反対側の端部である突揚げ棒保持部３５ａに、突揚げ棒１１の先端部１１ａが保持される。
【００３１】
また、突揚げ棒受け具３１には、前記２つのロック爪３２、３２が、係合溝３５を間にして、互いに左右対称に配置されている。各ロック爪３２は、平面形状が台形状に形成され、挿入口３４寄りの支点３６を中心として、係合溝３５の側面から内方に突出する突出位置（図５（ａ）に示す位置）と、突揚げ棒受け具３１に没入する没入位置（図５（ｂ）に示す位置）との間で、回動自在に構成されている。また、ロック爪３２は、傾斜面３２ａと、この傾斜面３２ａに連なり、係合溝３５の側面とほぼ直交する係止面３２ｂとを有している。
【００３２】
さらに、突揚げ棒受け具３１には、両ロック爪３２、３２によるロックを解除する際に手動で操作される２つのロック解除ピン３７、３７（ロック解除操作部、ロック解除機構）が設けられている。各ロック解除ピン３７は、係合溝３５の長さ方向に沿って延び、突揚げ棒受け具３１の内部の端部が、対応するロック爪３２の傾斜面３２ａに当接している。また、各ロック解除ピン３７の所定位置には、互いに長さ方向に所定間隔を隔てた内側ストッパ３７ａおよび外側ストッパ３７ｂが設けられている。つまり、各ロック解除ピン３７は、両ストッパ３７ａおよび３７ｂ間の長さ分、長さ方向に移動自在に構成されている。
【００３３】
また、突揚げ棒受け具３１には、両ロック爪３２、３２を突出位置側に回動するように付勢する２つのばね３８、３８が設けられている。
【００３４】
図６は、大屋根３を大屋根突揚げ棒１１で開放状態に支持する場合において、大屋根突揚げ棒１１の先端部１１ａを突揚げ棒受け具３１の挿入凹部３３に挿入する手順を示している。同図（ａ）に示すように、大屋根突揚げ棒１１の先端部１１ａを挿入凹部３３に挿入する前の突揚げ棒受け具３１では、両ロック爪３２、３２がいずれも突出位置に位置している。この状態から、大屋根突揚げ棒１１の先端部１１ａを、突揚げ棒受け具３１の挿入凹部３３に挿入する。具体的には、先端部１１ａを、挿入凹部３３の挿入口３４を介して、挿入凹部３３の係合溝３５に挿入する。この場合、同図（ｂ）に示すように、大屋根突揚げ棒１１の先端部１１ａが、両ロック爪３２、３２の傾斜面３２ａ、３２ａに当接し、それにより、両ロック爪３２、３２は、ばね３８、３８の付勢力に抗して押し広げられながら、各ロック爪３２が没入位置側に回動する。そして、大屋根突揚げ棒１１の先端部１１ａを、係合溝３５の端部側にさらに挿入することにより、同図（ｃ）に示すように、大屋根突揚げ棒１１の先端部１１ａが係合溝３５の突揚げ棒保持部３５ａに到達するとともに、両ロック爪３２、３２が、ばね３８、３８の付勢力によって、元の突出位置に復帰回動する。
【００３５】
このように、大屋根突揚げ棒１１の先端部１１ａが、突揚げ棒受け具３１の挿入凹部３３の突揚げ棒保持部３５ａに位置するとともに、その先端部１１ａの挿入口３４側に、突出位置に位置する両ロック爪３２、３２が位置することにより、大屋根突揚げ棒１１の先端部１１ａが突揚げ棒受け具３１に抜け止め状態にロックされる。つまり、この状態において、大屋根３および／または大屋根突揚げ棒１１に対し、大屋根突揚げ棒１１の先端部１１ａを挿入凹部３３の挿入口３４側に移動させる方向に力が作用しても、先端部１１ａが、両ロック爪３２、３２の係止面３２ｂ、３２ｂに当接し、挿入口３４側への移動が阻止される。これにより、大屋根突揚げ棒１１の先端部１１ａが、挿入口３４を介して挿入凹部３３から抜けるのを、確実に阻止することができる。
【００３６】
また、ロックされた大屋根突揚げ棒１１の先端部１１ａを突揚げ棒受け具３１から取り外す場合には、図５（ｂ）に示すように、両ロック解除ピン３７、３７の外側の端部（ロック解除操作部）を、白抜き矢印で示すように押すことにより、両ロック爪３２、３２を没入位置側に回動させる。そして、大屋根突揚げ棒１１の先端部１１ａを、挿入口３４側に移動させながら、挿入凹部３３から引き抜く。このように、大屋根３を支持する大屋根突揚げ棒１１の先端部１１ａを、突揚げ棒受け具３１から簡単に取り外すことができる。
【００３７】
なお、ピアノ本体２の側板７に対する、大屋根３および大屋根突揚げ棒１１の取付関係により、大屋根突揚げ棒１１の先端部１１ａを突揚げ棒受け具３１の挿入凹部３３から引き抜くためには、先端部１１ａを挿入凹部３３の挿入口３４側に若干、移動することが必要である。このため、突揚げ棒保持部３５ａに位置する大屋根突揚げ棒１１の先端部１１ａは、突揚げ棒受け具３１の突揚げ棒保持部３５ａから直接、引き抜かれることがなく、両ロック爪３２、３２によって、確実にロックされる。
【００３８】
以上説明したように、本実施形態によれば、大屋根突揚げ棒１１の先端部１１ａを、突揚げ棒受け具３１の挿入凹部３３に挿入するだけで、両ロック爪３２、３２により、突揚げ棒受け具３１に確実にかつ簡単にロックすることができる。これにより、前述した第１実施形態と同様、大屋根突揚げ棒１１が突揚げ棒受け具３１から抜けるのを確実に防止でき、それにより、開放されている大屋根３が閉鎖側に倒れるという事態を確実に回避することができる。また、開放されている大屋根３を閉鎖する場合、ロック解除ピン３７、３７を押すだけで、両ロック爪３２、３２によるロックが解除されるので、大屋根突揚げ棒１１の先端部１１ａを、大屋根３の突揚げ棒受け具３１から簡単に取り外すことができる。以上のように、本実施形態でも、第１実施形態と同様、大屋根３の開放および閉鎖操作を行う際の大屋根突揚げ棒１１のロックおよびその解除の操作を簡単に行うことができる。
【００３９】
なお、本発明は、説明した上記の各実施形態に限定されることなく、種々の態様で実施することができる。各実施形態では、本発明の大屋根支持装置を適用したグランドピアノを例示したが、本発明はこれに限定されるものではなく、開閉可能な大屋根を有する種々のピアノ、例えばグランド型の電子ピアノなどにも、もちろん適用可能である。また、各実施形態のロック装置１０、３０では、ロック爪１２、３２を左右対称に２つずつ設けたが、１つまたは３つ以上のロック爪によって、大屋根突揚げ棒１１の先端部１１ａをロックするようにしてもよい。また、各実施形態では、大屋根突揚げ棒１１を１本のみ例示したが、例えば、互いに長さの異なる複数の大屋根突揚げ棒を備えたピアノにおいて、各大屋根突揚げ棒に対応するように、ロック装置１０、３０を設けてもよい。
【００４０】
さらに、各実施形態では、ロック爪１２、３２はいずれも、手動でロックが解除されるように構成したが、例えばモータやソレノイドなどの電気器具を用いて、ロック爪１２、３２を出没するように構成することも可能である。また、例えば、大屋根突揚げ棒１１の先端部１１ａにおいて、その先端部１１ａが大屋根３によって押されたときに、ロック爪が突出し、再度押されたときにロック爪が没入するような適当な構成を用いて、ロック爪を出没させるようにすることも可能である。
【００４１】
また、各実施形態で示したロック装置１０、３０の細部の構成などは、あくまで例示であり、本発明の趣旨の範囲内で適宜、変更することができる。
【符号の説明】
【００４２】
１    グランドピアノ
２    ピアノ本体
３    大屋根
７    側板
１０    ロック装置（ロック手段）
１１    大屋根突揚げ棒
１１ａ  大屋根突揚げ棒の先端部
１２    ロック爪
１４    ロック解除ボタン（ロック解除操作部）
１５    リンク機構（ロック解除機構）
２１    突揚げ棒受け具
２３    挿入凹部（第１挿入凹部）
２４    大屋根側凹部
２５    開口部
３０    ロック装置（ロック手段）
３１    突揚げ棒受け具
３２    ロック爪
３３    挿入凹部（第２挿入凹部）
３４    挿入口
３５    係合溝
３５ａ  突揚げ棒保持部
３７    ロック解除ピン（ロック解除操作部、ロック解除機構）
【図１】
2012208278.tif 000003
【図２】
2012208278.tif 000004
【図３】
2012208278.tif 000005
【図４】
2012208278.tif 000006
【図５】
2012208278.tif 000007
【図６】
2012208278.tif 000008
【図７】
2012208278.tif 000009